(57)【要約】【課題】発光色を変更することができる照明装置を提供する。【解決手段】照明装置１００は、互いに発光色が異なる第一光源部３２ａ及び第二光源部３２ｂを有する発光装置３０と、発光装置３０が取り付けられる本体部１０と、制御信号を出力することにより第一光源部３２ａ及び第二光源部３２ｂのそれぞれを発光させる第一制御部２１を有する第一発光制御ユニット２０とを備える。本体部１０は、第一発光制御ユニット２０が着脱自在に取り付けられる凹部１３を有する。【選択図】図２
2018063908.tif 000002
【特許請求の範囲】
【請求項１】
互いに発光色が異なる第一光源部及び第二光源部を有する発光装置と、
前記発光装置が取り付けられる本体部と、
制御信号を出力することにより前記第一光源部及び前記第二光源部のそれぞれを発光させる第一制御部を有する第一発光制御ユニットとを備え、
前記本体部は、前記第一発光制御ユニットが着脱自在に取り付けられる取付構造を有する
照明装置。
【請求項２】
前記第一制御部は、前記制御信号を出力することにより前記第一光源部及び前記第二光源部のそれぞれを固定の明るさで発光させる
請求項１に記載の照明装置。
【請求項３】
前記第一発光制御ユニットが取り外された状態の前記取付構造には、第二発光制御ユニットが着脱自在に取り付けられ、
前記第二発光制御ユニットは、
制御信号を出力することにより前記第一光源部及び前記第二光源部のそれぞれを前記固定の明るさとは異なる固定の明るさで発光させる第二制御部を有する
請求項２に記載の照明装置。
【請求項４】
前記第一発光制御ユニットが取り外された状態の前記取付構造には、第二発光制御ユニットが着脱自在に取り付けられ、
前記第二発光制御ユニットは、
前記第一光源部及び前記第二光源部のそれぞれの明るさを指示する指示信号を前記照明装置の外部から受信する受信部と、
制御信号を出力することにより前記第一光源部及び前記第二光源部のそれぞれを前記受信部によって受信された前記指示信号に応じた明るさで発光させる第二制御部を有する
請求項２に記載の照明装置。
【請求項５】
さらに、前記第二発光制御ユニットを備える
請求項３または４に記載の照明装置。
【請求項６】
前記第一光源部及び前記第二光源部は、互いに色温度が異なる
請求項１〜５のいずれか１項に記載の照明装置。
【請求項７】
前記第一光源部及び前記第二光源部は、互いに色偏差が異なる
請求項１〜６のいずれか１項に記載の照明装置。
【請求項８】
前記本体部は、さらに、
前記第一光源部を発光させるための電力を前記第一光源部に供給する第一発光回路と、
前記第二光源部を発光させるための電力を前記第二光源部に供給する第二発光回路とを有し、
前記第一制御部は、
前記第一発光回路に第一制御信号を前記制御信号として出力することにより前記第一光源部を発光させ、
前記第二発光回路に第二制御信号を前記制御信号として出力することにより前記第二光源部を発光させる
請求項１〜７のいずれか１項に記載の照明装置。
【発明の詳細な説明】
【技術分野】
【０００１】
本発明は、発光色を変更可能な照明装置に関する。
【背景技術】
【０００２】
調光機能などの様々な機能を有する照明装置（照明器具）が知られている。特許文献１には、照明器具に機能を追加するための機能モジュール、及び、当該機能モジュールを含む照明器具が開示されている。
【先行技術文献】
【特許文献】
【０００３】
【特許文献１】特開２０１６−０５１６５２号公報
【発明の概要】
【発明が解決しようとする課題】
【０００４】
ところで、調色機能を有しない照明装置は、通常、発光色を変更することができない。
【０００５】
本発明は、発光色を変更することができる照明装置を提供する。
【課題を解決するための手段】
【０００６】
本発明の一態様に係る照明装置は、互いに発光色が異なる第一光源部及び第二光源部を有する発光装置と、前記発光装置が取り付けられる本体部と、制御信号を出力することにより前記第一光源部及び前記第二光源部のそれぞれを発光させる第一制御部を有する第一発光制御ユニットとを備え、前記本体部は、前記第一発光制御ユニットが着脱自在に取り付けられる取付構造を有する。
【発明の効果】
【０００７】
本発明の一態様に係る照明装置は、発光色を変更することができる。
【図面の簡単な説明】
【０００８】
【図１】図１は、実施の形態に係る照明装置の外観斜視図である。
【図２】図２は、実施の形態に係る照明装置の分解図である。
【図３】図３は、発光制御ユニットの交換を模式的に示す図である。
【図４】図４は、実施の形態に係る照明装置の機能構成を示すブロック図である。
【図５】図５は、第一発光回路の回路構成を示す図である。
【図６】図６は、色度座標を示す模式図である。
【発明を実施するための形態】
【０００９】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
（実施の形態）
［構成］
まず、実施の形態に係る照明装置の構成について説明する。図１は、実施の形態に係る照明装置の外観斜視図である。図２は、実施の形態に係る照明装置の分解図である。
【００１２】
図１および図２に示されるように、実施の形態に係る照明装置１００は、本体部１０と、第一発光制御ユニット２０と、発光装置３０と、カバー４０とを備える。
【００１３】
照明装置１００は、例えば、天井に取り付けられて室内を照明する照明装置である。照明装置１００の点灯及び消灯は、例えば、壁に設置された操作パネルを通じて行われる。
【００１４】
本体部１０は、照明装置１００のベースとなる長尺状の部材であり、例えば、ボルトおよびナット等により天井に固定される。本体部１０は、発光装置３０を収容する凹部１１を有し、例えば発光装置３０が有する金具（図示せず）が、凹部１１の内面に形成された孔と係合することで、発光装置３０が本体部１０に取り付けられる。
【００１５】
なお、発光装置３０を本体部１０に取り付けられるのであれば、当該取り付けの手法は、特に限定されない。例えば、発光装置３０は、ネジ等の締結部材によって本体部１０に取り付けられてもよい。なお、発光装置３０には、本体部１０から延設された電線の端部に取り付けられたコネクタ付きケーブル１４のコネクタが、発光装置３０が有する端子部３４（コネクタ構造）に接続されることにより、当該電線を介して電力供給が行われる。
【００１６】
なお、コネクタ付きケーブル１４には、電力供給用のケーブルの他に、端子部１５（雌メス型のコネクタ構造）と電気的に接続される信号伝送用のケーブルが含まれる。
【００１７】
また、本体部１０には、開口部１２を有する凹部１３が設けられる。開口部１２を有する凹部１３は、第一発光制御ユニット２０が着脱自在に取り付けられる取付構造の一例である。
【００１８】
発光装置３０は、基板３１上に、互いに発光色が異なる第一光源部３２ａ及び第二光源部３２ｂが形成された長尺状の発光モジュールである。実施の形態では、第一光源部３２ａ及び第二光源部３２ｂは、互いに色温度（相関色温度）が異なる。発光装置３０は、基板３１と、第一光源部３２ａと、第二光源部３２ｂと、周辺回路３３と、端子部３４とを有する。
【００１９】
基板３１は、長尺状の基板であり、例えば、金属を基材とするメタルベース基板、または、セラミックを基材とするセラミック基板である。また、基板３１は、樹脂を基材とする樹脂基板であってもよい。
【００２０】
周辺回路３３は、端子部３４を介して得られる交流電力を直流電力に変換して第一光源部３２ａ及び第二光源部３２ｂに与える回路である。周辺回路３３の詳細構成については後述する。
【００２１】
第一光源部３２ａは、例えば、基板３１の長手方向に沿って配置された複数のＬＥＤチップが蛍光体を含有する透光性樹脂材料によって封止されることによって形成される。
【００２２】
ＬＥＤチップは、発光素子の一例であり、例えば、ＩｎＧａＮ系の材料によって構成された、発光スペクトルのピーク波長が４３０ｎｍ以上４８０ｎｍ以下の青色ＬＥＤチップである。
【００２３】
透光性樹脂材料は、例えば、メチル系のシリコーン樹脂であるが、エポキシ樹脂またはユリア樹脂などであってもよい。透光性樹脂材料には、例えば、黄色蛍光体及び赤色蛍光体が含まれる。
【００２４】
黄色蛍光体は、具体的には、例えば、発光ピーク波長が５５０ｎｍ以上５７０ｎｍ以下の、イットリウム・アルミニウム・ガーネット（ＹＡＧ）系の蛍光体である。赤色蛍光体は、具体的には、例えば、発光ピーク波長が６１０ｎｍ以上６２０ｎｍ以下の、ＣａＡｌＳｉＮ３：Ｅｕ２＋蛍光体、または、（Ｓｒ，Ｃａ）ＡｌＳｉＮ３：Ｅｕ２＋蛍光体などである。なお、透光性樹脂材料に含まれる蛍光体は、特に限定されない。
【００２５】
第一光源部３２ａに含まれるＬＥＤチップが青色光を発すると、発せられた青色光の一部は、透光性樹脂材料に含まれる黄色蛍光体によって黄色光に波長変換される。また、発せられた青色光の一部は、透光性樹脂材料に含まれる赤色蛍光体によって赤色光に波長変換される。そして、黄色蛍光体及び赤色蛍光体に吸収されなかった青色光と、黄色蛍光体によって波長変換された黄色光と、赤色蛍光体によって波長変換された赤色光とは、透光性樹脂材料中で拡散及び混合される。これにより、第一光源部３２ａからは、白色光が出射される。
【００２６】
第一光源部３２ａが発する白色光は、透光性樹脂材料に含まれる黄色蛍光体及び赤色蛍光体の量（黄色蛍光体及び赤色蛍光体の含有率）が調整されることにより、例えば、２７００Ｋとされる。
【００２７】
第二光源部３２ｂは、基板３１の長手方向に沿って配置された複数のＬＥＤチップが蛍光体を含有する透光性樹脂材料によって封止されることによって形成される。第二光源部３２ｂの構成は、第一光源部３２ａとほぼ同様であるが、第二光源部３２ｂが発する白色光は、透光性樹脂材料に含まれる黄色蛍光体及び赤色蛍光体の量（黄色蛍光体及び赤色蛍光体の含有率）が調整されることにより、例えば、８０００Ｋとされる。
【００２８】
このように、実施の形態では、第一光源部３２ａと、第二光源部３２ｂとは、互いに色温度が異なる。なお、ここでの色温度が異なる、とは、色温度が有意に異なることを意味し、製造ばらつきなどによって色温度が微妙に異なることを意味するわけではない。色温度が有意に異なるとは、例えば、１０００Ｋ以上異なることを意味する。
【００２９】
カバー４０は、発光装置３０が発する光を透過させる長尺状の部材である。カバー４０は、例えば、透光性を有するガラスまたは樹脂を基材として形成される。また、カバー４０は、発光装置３０が発する光を拡散する機能を有している。カバー４０は、例えば、上記基材が光拡散材（微粒子）を含有することによって光拡散機能を有している。なお、カバー４０が光を拡散する機能を有することは必須ではない。
【００３０】
第一発光制御ユニット２０は、本体部１０に着脱自在に取り付けられる。第一発光制御ユニット２０は、具体的には、係止構造２２を有し、係止構造２２が本体部１０に設けられた開口部１２に差し込まれて係止することで本体部１０の凹部１３に取り付けられる。なお、詳細については図示されないが、第一発光制御ユニット２０は、例えば、ロック解除ボタンを有し、ロック解除ボタンを押すことで係止構造２２の爪が引っ込む。これにより、ユーザは、第一発光制御ユニット２０を本体部１０（凹部１３）から取り外すことができる。
【００３１】
また、第一発光制御ユニット２０は、第一制御部２１及び端子部２４（オス型のコネクタ構造）を有し、第一発光制御ユニット２０が本体部１０に取り付けられると、端子部２４は、本体部１０が有する端子部１５に嵌まる。
【００３２】
ここで、第一制御部２１は、端子部２４と電気的に接続され、端子部１５は、コネクタ付きケーブル１４によって発光装置３０の端子部３４（周辺回路３３）と電気的に接続されている。したがって、端子部２４が端子部１５に嵌まることにより、第一制御部２１と、発光装置３０が有する周辺回路３３とが電気的に接続される。
【００３３】
そうすると、第一制御部２１は、周辺回路３３から直流電力を得ることにより起動し、第一光源部３２ａ及び第二光源部３２ｂのそれぞれを発光させる制御信号を周辺回路３３に出力する。具体的には、第一制御部２１は、第一光源部３２ａに供給される第一電流を調整するための第一制御信号と、第二光源部３２ｂに供給される第二電流を調整するための第二制御信号とを出力する。
【００３４】
ところで、上述のように、第一光源部３２ａが発する白色光は、２７００Ｋであり、第二光源部３２ｂが発する白色光は、８０００Ｋである。このため、上記第一電流と上記第二電流とが調整されることにより、照明装置１００が発する白色光の色温度は、２７００Ｋ以上８０００Ｋ以下の間で調整が可能である。言い換えれば、照明装置１００は、２７００Ｋ以上８０００Ｋ以下の範囲で調色が可能な発光装置３０を有している。
【００３５】
一方で、第一制御部２１が出力する第一制御信号及び第二制御信号のそれぞれは、ユーザによって変更不可能である。つまり、第一制御部２１は、第一制御信号及び第二制御信号を出力することにより第一光源部３２ａ及び第二光源部３２ｂのそれぞれを固定の（一定の）明るさで発光させる。照明装置１００は、本体部１０に第一発光制御ユニット２０が取り付けられているときには、例えば、５０００Ｋの昼白色で発光する。
【００３６】
このように、本体部１０に第一発光制御ユニット２０が取り付けられているときには、照明装置１００は、調色機能を有しない。言い換えれば、第一発光制御ユニット２０は、照明装置１００（発光装置３０）の調色機能を封じている。
【００３７】
［色温度の変更方法］
上述のように、第一発光制御ユニット２０は、本体部１０に着脱自在に取り付けられている。ユーザは、照明装置１００が発する白色光の色温度を変更したい場合には、第一発光制御ユニット２０を別の発光制御ユニット（以下、第二発光制御ユニットと記載する）に交換する。図３は、発光制御ユニットの交換を模式的に示す図である。
【００３８】
図３に示されるように、本体部１０には、第一発光制御ユニット２０以外に、第二発光制御ユニット２０ａ及び第二発光制御ユニット２０ｂも取り付け可能である。言い換えれば、本体部１０の凹部１３には、第一発光制御ユニット２０、第二発光制御ユニット２０ａ、及び、第二発光制御ユニット２０ｂのうちの１つが選択的に取り付けられる。
【００３９】
第二発光制御ユニット２０ａは、係止構造２２ａを有し、係止構造２２ａが本体部１０に設けられた開口部１２に係止することで本体部１０の凹部１３に取り付けられる。つまり、第二発光制御ユニット２０ａは、本体部１０に着脱自在に取り付けられる。
【００４０】
また、第二発光制御ユニット２０ａは、第二制御部２１ａ及び端子部２４ａを有し、第二発光制御ユニット２０ａが本体部１０に取り付けられると、端子部２４ａが端子部１５に嵌まることにより、第二制御部２１ａと、発光装置３０が有する周辺回路３３とが電気的に接続される。
【００４１】
第二発光制御ユニット２０ａが本体部１０に取り付けられた状態において、第二制御部２１ａは、第一制御部２１とは異なる第一制御信号及び第二制御信号を出力する。したがって、照明装置１００は、本体部１０に第二発光制御ユニット２０ａが取り付けられているときには、本体部１０に第一発光制御ユニット２０が取り付けられているときと異なる色温度の白色光を発する。つまり、第二制御部２１ａは、制御信号を出力することにより第一光源部３２ａ及び第二光源部３２ｂのそれぞれを第一発光制御ユニット２０が取り付けられているときの固定の明るさとは異なる固定の明るさで発光させる。照明装置１００は、本体部１０に第二発光制御ユニット２０ａが取り付けられているときには、例えば、３０００Ｋの電球色で発光する。
【００４２】
また、図３に示されるように、本体部１０には、第一発光制御ユニット２０及び第二発光制御ユニット２０ａ以外に、第二発光制御ユニット２０ｂも取り付け可能である。
【００４３】
第二発光制御ユニット２０ｂは、係止構造２２ｂを有し、係止構造２２ｂが本体部１０に設けられた開口部１２に係止することで本体部１０の凹部１３に取り付けられる。つまり、第二発光制御ユニット２０ｂは、本体部１０に着脱自在に取り付けられる。
【００４４】
また、第二発光制御ユニット２０ｂは、受信部２５ｂを有する。受信部２５ｂは、第一光源部３２ａ及び第二光源部３２ｂのそれぞれの明るさを指示する指示信号を照明装置１００の外部から受信する。指示信号は、例えば、赤外線の通信信号であり、ユーザによって専用のリモートコントローラまたは専用のアプリケーションがインストールされた携帯端末（スマートフォンまたはタブレット端末など）から送信される。指示信号は、言い換えれば、照明装置１００を調色するための信号である。この場合、受信部２５ｂは、赤外線の受光素子である。
【００４５】
また、第二発光制御ユニット２０ｂは、第二制御部２１ｂ及び端子部２４ｂを有し、第二発光制御ユニット２０ｂが本体部１０に取り付けられると、端子部２４ｂが端子部１５に嵌まることにより、第二制御部２１ｂと、発光装置３０が有する周辺回路３３とが電気的に接続される。
【００４６】
第二発光制御ユニット２０ｂが本体部１０に取り付けられた状態において、ユーザは、リモートコントローラ等から指示信号を受信部２５ｂへ送信することにより、第一制御信号及び第二制御信号を変更し、照明装置１００の色温度の変更（調色）を行うことができる。つまり、第二制御部２１ｂは、第一制御信号及び第二制御信号を出力することにより第一光源部３２ａ及び第二光源部３２ｂのそれぞれを受信部２５ｂによって受信された指示信号に応じた明るさで発光させる。
【００４７】
なお、第二発光制御ユニット２０ｂは、調色に代えて、または、調色に加えて調光に対応していてもよい。この場合の調光は、色温度がほぼ一定のまま、明るさが調整されることを意味する。
【００４８】
以上のように、照明装置１００においては、第一発光制御ユニット２０が第二発光制御ユニット２０ａに交換されることにより、色温度が変更される。また、照明装置１００においては、第一発光制御ユニット２０が第二発光制御ユニット２０ｂに交換されることにより、ユーザがリモートコントローラ等を用いて自在に色温度を変更することができる調色機能が付与される。言い換えれば、第二発光制御ユニット２０ｂは、照明装置１００（発光装置３０）の調色機能を開放している。
【００４９】
なお、本体部１０の凹部１３に発光制御ユニット（第一発光制御ユニット２０、第二発光制御ユニット２０ａ、または第二発光制御ユニット２０ｂ）が取り付けられていない状態においては、発光装置３０は発光しない。つまり、照明装置１００は、発光制御ユニットが取り付けられていなければ動作しない。
【００５０】
［照明装置の機能構成］
次に、照明装置１００の機能構成について説明する。図４は、照明装置１００の機能構成を示すブロック図である。図４では、照明装置１００が備える構成要素のうち、発光装置３０及び第一発光制御ユニット２０の機能構成が図示されている。また、第二発光制御ユニット２０ａ及び第二発光制御ユニット２０ｂの機能構成も図示されている。
【００５１】
まず、発光装置３０の機能構成について説明する。図４に示されるように、発光装置３０は、第一光源部３２ａと、第二光源部３２ｂと、第一発光回路３３ａと、第二発光回路３３ｂと、変換回路３３ｃと、端子部３４とを備える。第一発光回路３３ａ、第二発光回路３３ｂ、及び、変換回路３３ｃは、上述の周辺回路３３に含まれる回路である。
【００５２】
変換回路３３ｃは、照明装置１００の外部の電力系統５０から得られる交流電圧（交流電力）を直流電圧（直流電力）に変換する回路である。変換回路３３ｃは、具体的には、上記交流電圧を全波整流するダイオードブリッジ回路、及び、全波整流によって得られる直流（脈流）電圧を平滑化して出力する平滑化回路などを含む。
【００５３】
第一発光回路３３ａは、第一光源部３２ａを発光させるための電力を第一光源部３２ａに供給する。第一発光回路３３ａは、具体的には、変換回路３３ｃから出力される直流電圧を第一光源部３２ａの発光に適した電圧に変換して出力する。図５は、第一発光回路３３ａの回路構成を示す図である。
【００５４】
図５に示されるように、第一発光回路３３ａとしては、例えば、変換回路３３ｃから出力される直流電圧を所望の直流電圧まで降圧する降圧チョッパ回路が用いられる。
【００５５】
第一発光回路３３ａにおいては、具体的には、変換回路３３ｃの正極側の出力端子にダイオードＤ１のカソードが接続され、ダイオードＤ１のアノードと変換回路３３ｃの負極側の出力端子との間にスイッチング素子Ｑ１および抵抗Ｒ１が直列に配置される。
【００５６】
また、ダイオードＤ１のカソードには、平滑コンデンサＣ１のアノード、放電用の抵抗Ｒ２の一方の端子、及び、第一光源部３２ａのアノードが電気的に接続され、ダイオードＤ１の他端には、インダクタＬ１の一端が接続される。インダクタＬ１の他端は、平滑コンデンサＣ１のカソード、抵抗Ｒ２の他方の端子、及び、第一光源部３２ａのカソードが電気的に接続される。
【００５７】
駆動回路３３ｄは、第一制御部２１から出力される第一制御信号に基づいてスイッチング素子Ｑ１をスイッチングする。スイッチング素子Ｑ１が高速でスイッチングされることにより、降圧された直流電圧が平滑コンデンサＣ１の両端から第一光源部３２ａに供給される。
【００５８】
第二発光回路３３ｂは、第二光源部３２ｂを発光させるための電力を第二光源部３２ｂに供給する。第二発光回路３３ｂは、第一制御部２１から出力される第二制御信号に基づいて第二光源部３２ｂに直流電圧を供給する点を除いて、第一発光回路３３ａと同様の構成である。このため、回路構成については説明が省略される。
【００５９】
次に、第一発光制御ユニット２０について説明する。図４に示されるように、第一発光制御ユニット２０は、第一制御部２１と、第一記憶部２３と、端子部２４とを備える。
【００６０】
上述のように、第一発光制御ユニット２０が本体部１０に取り付けられると、第一発光制御ユニット２０が有する端子部２４は、発光装置３０が備える端子部３４に電気的に接続される。これにより、第一制御部２１は、端子部２４及び端子部３４を介して第一発光回路３３ａに第一制御信号を出力することができる。また、第一制御部２１は、端子部２４及び端子部３４を介して第二発光回路３３ｂに第二制御信号を出力することができる。
【００６１】
また、第一制御部２１は、変換回路３３ｃから供給される電力を、端子部２４及び端子部３４を介して受けることにより動作する。なお、第一制御部２１と変換回路３３ｃとの間には、ＤＣ−ＤＣ変換回路が配置されてもよい。ＤＣ−ＤＣ変換回路は、第一発光制御ユニット２０が有してもよいし、発光装置３０が有してもよい。
【００６２】
第一制御部２１は、第一発光回路３３ａに第一制御信号を出力することにより第一光源部３２ａを発光させ、第二発光回路３３ｂに第二制御信号を出力することにより第二光源部３２ｂを発光させる。この結果、第一光源部３２ａが発する８０００Ｋの白色光と第二光源部３２ｂが発する２７００Ｋの白色光とが混ざることにより、照明装置１００から色温度が５０００Ｋ（第一色温度）で一定となる白色光が出射される。
【００６３】
第一制御部２１は、具体的には、第一制御信号によって第一発光回路３３ａが有する駆動回路３３ｄから出力されるスイッチング信号のオン期間の長さを５０００Ｋの白色光を実現するための固定値に制御する。同様に、第一制御部２１は、第二制御信号によって第二発光回路３３ｂが有する駆動回路３３ｄから出力されるスイッチング信号のオン期間の長さを５０００Ｋの白色光を実現するための固定値に制御する。
【００６４】
第一制御部２１は、具体的には、プロセッサによって実現されるが、マイクロコンピュータまたは専用回路によって実現されてもよい。また、第一制御部２１は、プロセッサ、マイクロコンピュータ、及び、専用回路のうち２つ以上の組み合わせによって実現されてもよい。
【００６５】
第一記憶部２３は、照明装置１００に５０００Ｋの白色光を出射させるための第一制御信号のデータ及び第二制御信号のデータ、並びに、第一制御部２１によって実行される制御プログラム等が記憶される記憶装置である。第一記憶部２３は、例えば、半導体メモリによって実現される。なお、第一制御部２１が専用回路によって実現される場合には、第一発光制御ユニット２０は、第一記憶部２３を有していなくてもよい。
【００６６】
次に、第二発光制御ユニット２０ａについて、引き続き図４を参照しながら説明する。図４に示されるように、第二発光制御ユニット２０ａは、第二制御部２１ａと、第二記憶部２３ａと、端子部２４ａとを備える。
【００６７】
第二発光制御ユニット２０ａが本体部１０に取り付けられると、第二発光制御ユニット２０ａが有する端子部２４ａは、発光装置３０が備える端子部３４に電気的に接続される。これにより、第二制御部２１ａは、端子部２４ａ及び端子部３４を介して第一発光回路３３ａに第一制御信号を出力することができる。また、第二制御部２１ａは、端子部２４ａ及び端子部３４を介して第二発光回路３３ｂに第二制御信号を出力することができる。
【００６８】
また、第二制御部２１ａは、変換回路３３ｃから供給される電力を、端子部２４ａ及び端子部３４を介して受けることにより動作する。なお、第二制御部２１ａと変換回路３３ｃとの間には、ＤＣ−ＤＣ変換回路が配置されてもよい。ＤＣ−ＤＣ変換回路は、第二発光制御ユニット２０ａが有してもよいし、発光装置３０が有してもよい。
【００６９】
第二制御部２１ａは、第一制御部２１と同様に、第一発光回路３３ａに第一制御信号を出力することにより第一光源部３２ａを発光させ、第二発光回路３３ｂに第二制御信号を出力することにより第二光源部３２ｂを発光させる。この結果、第一光源部３２ａが発する８０００Ｋの白色光と第二光源部３２ｂが発する２７００Ｋの白色光とが混ざることにより、照明装置１００から色温度が３０００Ｋ（第二色温度）で一定の白色光が出射される。
【００７０】
第二制御部２１ａは、具体的には、第一制御信号によって第一発光回路３３ａが有する駆動回路３３ｄから出力されるスイッチング信号のオン期間の長さを３０００Ｋの白色光を実現するための固定値に制御する。同様に、第二制御部２１ａは、第二制御信号によって第二発光回路３３ｂが有する駆動回路３３ｄから出力されるスイッチング信号のオン期間の長さを３０００Ｋの色温度を実現するための固定値に制御する。
【００７１】
第二制御部２１ａは、具体的には、プロセッサによって実現されるが、マイクロコンピュータまたは専用回路によって実現されてもよい。また、第二制御部２１ａは、プロセッサ、マイクロコンピュータ、及び、専用回路のうち２つ以上の組み合わせによって実現されてもよい。
【００７２】
第二記憶部２３ａは、照明装置１００に３０００Ｋの白色光を出射させるための第一制御信号のデータ及び第二制御信号のデータ、並びに、第二制御部２１ａによって実行される制御プログラム等が記憶される記憶装置である。第二記憶部２３ａは、例えば、半導体メモリによって実現される。なお、第二制御部２１ａが専用回路によって実現される場合には、第二発光制御ユニット２０ａは、第二記憶部２３ａを有していなくてもよい。
【００７３】
次に、第二発光制御ユニット２０ｂについて、引き続き図４を参照しながら説明する。図４に示されるように、第二発光制御ユニット２０ｂは、第二制御部２１ｂと、第二記憶部２３ｂと、端子部２４ｂと、受信部２５ｂとを備える。
【００７４】
第二発光制御ユニット２０ｂが本体部１０に取り付けられると、第二発光制御ユニット２０ｂが有する端子部２４ｂは、発光装置３０が備える端子部３４に電気的に接続される。これにより、第二制御部２１ｂは、端子部２４ｂ及び端子部３４を介して第一発光回路３３ａに第一制御信号を出力することができる。また、第二制御部２１ｂは、端子部２４ｂ及び端子部３４を介して第二発光回路３３ｂに第二制御信号を出力することができる。
【００７５】
また、第二制御部２１ｂは、変換回路３３ｃから供給される電力を、端子部２４ｂ及び端子部３４を介して受けることにより動作する。なお、第二制御部２１ｂと変換回路３３ｃとの間には、ＤＣ−ＤＣ変換回路が配置されてもよい。ＤＣ−ＤＣ変換回路は、第二発光制御ユニット２０ｂが有してもよいし、発光装置３０が有してもよい。
【００７６】
受信部２５ｂは、第一光源部３２ａ及び第二光源部３２ｂのそれぞれの明るさを指示する指示信号を照明装置１００の外部から受信する。上述のように、受信部２５ｂは、具体的には、赤外線の受光素子であり、リモートコントローラ等から赤外線の指示信号を受信する。
【００７７】
なお、受信部２５ｂは、赤外線などの光通信に代えて、電波通信によって指示信号を受信してもよい。受信部２５ｂは、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信によって指示信号を受信してもよい。この場合、受信部２５ｂは、具体的には、通信回路（通信モジュール）である。
【００７８】
第二制御部２１ｂは、第一制御信号を出力することにより第一光源部３２ａを受信部２５ｂによって受信された指示信号に応じた明るさで発光させ、かつ、第二制御信号を出力することにより第二光源部３２ｂのそれぞれを受信部２５ｂによって受信された指示信号に応じた明るさで発光させる。つまり、第二制御部２１ｂは、受信された指示信号に基づいて発光装置３０の色温度を変更(調色)する。
【００７９】
第二制御部２１ｂは、具体的には、第一制御信号によって第一発光回路３３ａが有する駆動回路３３ｄから出力されるスイッチング信号のオン期間の長さを、受信された指示信号に基づいて制御する。これにより、第一光源部３２ａの光出力が調整される。
また、第二制御部２１ｂは、第二発光回路３３ｂに第二制御信号を出力することにより第二光源部３２ｂを発光させる。第二制御部２１ｂは、第二制御信号によって第二発光回路３３ｂが有する駆動回路３３ｄから出力されるスイッチング信号のオン期間の長さを、受信された指示信号に基づいて制御する。これにより、第二光源部３２ｂの光出力が調整される。
【００８０】
第二制御部２１ｂは、具体的には、プロセッサによって実現されるが、マイクロコンピュータまたは専用回路によって実現されてもよい。また、第二制御部２１ｂは、プロセッサ、マイクロコンピュータ、及び、専用回路のうち２つ以上の組み合わせによって実現されてもよい。
【００８１】
第二記憶部２３ｂは、発光装置３０を指示信号に応じて発光させるための調色情報、及び、第二制御部２１ｂによって実行される制御プログラム等が記憶される記憶装置である。調色情報は、例えば、指示信号の値と、第一制御信号の値及び当第二制御信号の値のそれぞれとが対応付けられたテーブル情報である、第二記憶部２３ｂは、例えば、半導体メモリによって実現される。なお、第二制御部２１ｂが専用回路によって実現される場合には、第二発光制御ユニット２０ｂは、第二記憶部２３ｂを有していなくてもよい。
【００８２】
［変形例］
上記実施の形態では、発光制御ユニットの交換により、照明装置１００(発光装置３０)が発する光の色温度が変更される例について説明されたが、発光制御ユニットの交換により、照明装置１００(発光装置３０)が発する光の発光色が変更されればよい。
【００８３】
例えば、発光制御ユニットの交換により、照明装置１００(発光装置３０)が発する光の色偏差（Ｄｕｖ）が変更されてもよい。この場合、発光装置３０は、互いに色偏差が異なる第一光源部３２ａ及び第二光源部３２ｂを有する。
【００８４】
なお、色偏差が異なる、とは、色偏差が有意に異なることを意味し、製造ばらつきなどによって色偏差が微妙に異なることを意味するわけではない。色偏差が有意に異なるとは、例えば、０、１以上異なることを意味する。
【００８５】
また、発光装置３０は、互いに発光色が異なる光源部を３つ以上備えてもよい。例えば、発光装置３０は、第一発光色の第一光源部３２ａ及び第二発光色の第二光源部３２ｂに加えて、第三発光色の第三光源部、及び、第四発光色の第四光源部を備えてもよい。
【００８６】
例えば、第一発光色、第二発光色、第三発光色、及び、第四発光色は、色度座標上においては、図６に示されるような位置関係となる。図６は、色度座標を示す模式図である。
【００８７】
図６の例では、第一発光色Ａ及び第二発光色Ｂは、いずれも黒体軌跡上（等偏差線上）に位置する。第一発光色Ａは、例えば、黒体軌跡上において色温度が８０００Ｋとなる座標に位置し、第二発光色は、例えば、黒体軌跡上において色温度が２７００Ｋとなる座標に位置する。
【００８８】
一方、第三発光色Ｃ及び第四発光色Ｄは、等色温度線上に位置し、第三発光色Ｃは、色偏差ｄｕｖが正の値となり、第四発光色Ｄは、色偏差ｄｕｖが負の値となる。第三発光色は、例えば、５０００Ｋの等色温度線上のｄｕｖ＝＋０．２の座標に位置し、第二発光色は、例えば、５０００Ｋの等色温度線上のｄｕｖ＝−０．２の座標に位置する。
【００８９】
発光装置３０が、第一発光色Ａの第一光源部３２ａ及び第二発光色Ｂの第二光源部３２ｂに加えて、第三発光色Ｃの第三光源部、及び、第四発光色Ｄの第四光源部を備えれば、発光色を等色温度方向と等色偏差方向の両方において調整することができる。
【００９０】
また、上記実施の形態では、第一発光制御ユニット２０が着脱自在に取り付けられる取付構造の一例として、本体部１０には、係止構造２２に対応した開口部１２を有する凹部１３が設けられたが、このような取付構造は一例である。例えば、凹部１３が係止構造（係止爪）を有し、第一発光制御ユニット２０に当該係止構造が係止する開口部が設けられてもよい。
【００９１】
また、取付構造は、本体部１０に設けられた平面視形状が円形の凹部であって、内周面にらせん状のねじ溝が設けられた構造であってもよい。この場合、第一発光制御ユニット２０は、上記凹部に対応した円柱状であって、外周面にらせん状のねじ溝を有し、上記凹部にねじ入れられる。また、取付構造は、第一発光制御ユニット２０が側方からスライド挿入されるような凹部であってもよい。
【００９２】
［効果等］
以上説明したように、照明装置１００は、互いに発光色が異なる第一光源部３２ａ及び第二光源部３２ｂを有する発光装置３０と、発光装置３０が取り付けられる本体部１０と、制御信号を出力することにより第一光源部３２ａ及び第二光源部３２ｂのそれぞれを発光させる第一制御部２１を有する第一発光制御ユニット２０とを備える。本体部１０は、第一発光制御ユニット２０が着脱自在に取り付けられる凹部１３（開口部１２有する凹部１３）を有する。凹部１３は、取付構造の一例である。
【００９３】
これにより、ユーザは、第一発光制御ユニット２０を、出力される制御信号が異なる発光制御ユニットに交換することにより、照明装置１００の発光色を変更することができる。
【００９４】
また、第一制御部２１は、制御信号を出力することにより第一光源部３２ａ及び第二光源部３２ｂのそれぞれを固定の明るさで発光させてもよい。
【００９５】
これにより、ユーザは、第一発光制御ユニット２０を、出力される制御信号が異なる発光制御ユニットに交換することにより、固定の発光色で発光する照明装置１００の発光色を変更することができる。
【００９６】
また、第一発光制御ユニット２０が取り外された状態の凹部１３には、第二発光制御ユニット２０ａが着脱自在に取り付けられてもよい。第二発光制御ユニット２０ａは、制御信号を出力することにより第一光源部３２ａ及び第二光源部３２ｂのそれぞれを第一発光制御ユニット２０が凹部１３に取り付けられているときの固定の明るさとは異なる固定の明るさで発光させる第二制御部２１ａを有してもよい。
【００９７】
これにより、ユーザは、第一発光制御ユニット２０を第二発光制御ユニット２０ａに交換することにより、固定の発光色で発光する照明装置１００の発光色を変更することができる。
【００９８】
また、第一発光制御ユニット２０が取り外された状態の凹部１３には、第二発光制御ユニット２０ｂが着脱自在に取り付けられてもよい。第二発光制御ユニット２０ｂは、第一光源部３２ａ及び第二光源部３２ｂのそれぞれの明るさを指示する指示信号を照明装置１００の外部から受信する受信部２５ｂと、制御信号を出力することにより第一光源部３２ａ及び第二光源部３２ｂのそれぞれを受信部２５ｂによって受信された指示信号に応じた明るさで発光させる第二制御部２１ｂを有してもよい。
【００９９】
これにより、ユーザは、第一発光制御ユニット２０を第二発光制御ユニット２０ｂに交換することにより、リモートコントローラ等による調色機能を照明装置１００に付与することができる。
【０１００】
また、照明装置１００は、さらに、第二発光制御ユニット２０ａ及び第二発光制御ユニット２０ｂの少なくとも一方を備えてもよい。
【０１０１】
これにより、ユーザは、第一発光制御ユニット２０を第二発光制御ユニット２０ａに交換することにより、固定の発光色で発光する照明装置１００の発光色を変更することができる。また、ユーザは、第一発光制御ユニット２０を第二発光制御ユニット２０ｂに交換することにより、リモートコントローラ等による調色機能を照明装置１００に付与することができる。
【０１０２】
また、第一光源部３２ａ及び第二光源部３２ｂは、互いに色温度が異なってもよい。
【０１０３】
これにより、ユーザは、第一発光制御ユニット２０を、出力される制御信号が異なる発光制御ユニットに交換することにより、照明装置１００が発する光の色温度を変更することができる。
【０１０４】
また、第一光源部３２ａ及び第二光源部３２ｂは、互いに色偏差が異なってもよい。
【０１０５】
これにより、ユーザは、第一発光制御ユニット２０を、出力される制御信号が異なる発光制御ユニットに交換することにより、照明装置１００が発する光の色偏差を変更することができる。
【０１０６】
また、本体部１０は、さらに、第一光源部３２ａを発光させるための電力を第一光源部３２ａに供給する第一発光回路３３ａと、第二光源部３２ｂを発光させるための電力を第二光源部３２ｂに供給する第二発光回路３３ｂとを有してもよい。第一制御部２１は、第一発光回路３３ａに第一制御信号を出力することにより第一光源部３２ａを発光させ、第二発光回路３３ｂに第二制御信号を出力することにより第二光源部３２ｂを発光させてもよい。
【０１０７】
これにより、第一制御部２１は、第一発光回路３３ａに第一制御信号を出力することにより第一光源部３２ａを発光させ、第二発光回路３３ｂに第二制御信号を出力することにより第二光源部３２ｂを発光させることができる。
【０１０８】
（他の実施の形態）
以上、実施の形態に係る照明装置について説明したが、本発明は、上記実施の形態に限定されるものではない。
【０１０９】
また、例えば、上記実施の形態では、長尺状の照明装置について説明されたが、照明装置の形状、構造、及び、大きさは、特に限定されるものではない。本発明は、平面視形状が円形のシーリングライトとして実現されてもよいし、ダウンライトとして実現されてもよい。
【０１１０】
また、上記実施の形態では、照明装置は、いわゆるＣＯＢ（Ｃｈｉｐ  Ｏｎ  Ｂｏａｒｄ）構造の発光装置を備えるが、ＣＯＢ構造の発光装置に代えて、基板にＳＭＤ（Ｓｕｒｆａｃｅ  Ｍｏｕｎｔ  Ｄｅｖｉｃｅ）型の発光素子が実装されたＳＭＤ構造の発光装置を備えてもよい。なお、ＳＭＤ型の発光素子は、例えば、凹部を有する樹脂製の容器と、凹部の中に実装されたＬＥＤチップと、凹部内に封入された封止部材（蛍光体を含有する透光性樹脂材料）とを備える。
【０１１１】
また、上記実施の形態では、第一光源部および第二光源部のそれぞれは、ＬＥＤチップを有したが、ＬＥＤチップは、発光素子の一例である。第一光源部および第二光源部は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【０１１２】
なお、上記実施の形態および各変形例において、第一制御部及び第二制御部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１３】
なお、本発明の包括的または具体的な態様は、照明装置に限定されない。本発明は、例えば、複数種類の発光制御ユニットを備えた照明システムとして実現されてもよい。
【０１１４】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【０１１５】
１０  本体部
１３  凹部（取付構造）
２０  第一発光制御ユニット
２０ａ、２０ｂ  第二発光制御ユニット
２１  第一制御部
２１ａ、２１ｂ  第二制御部
２５ｂ  受信部
３０  発光装置
３２ａ  第一光源部
３２ｂ  第二光源部
３３ａ  第一発光回路
３３ｂ  第二発光回路
１００  照明装置
【図１】
2018063908.tif 000003
【図２】
2018063908.tif 000004
【図３】
2018063908.tif 000005
【図４】
2018063908.tif 000006
【図５】
2018063908.tif 000007
【図６】
2018063908.tif 000008